(57)【要約】【課題】入力項目の手書き又は印字が既になされている書込み済帳票用紙の、該入力項目をオペレータがデータ入力していく際に、入力項目の手書き又は印字位置の少なくとも一部が不定であっても、能率よくオペレータが入力していくことができるようにする。【解決手段】図は、フィールド連番が「１」のアイコンをドラッグ操作して、イメージ情報表示の「ご住所」の下方の「ＴＥＬ」の位置にドロップ操作したものである。イメージ情報表示の「ご住所」を目視しながら、そのすぐ下方にある、フィールド連番が「１」の「住所」の入力フィールドも容易に目視することができる。【選択図】図１８
2006113928.tif 000002
【特許請求の範囲】
【請求項１】
入力項目の手書き又は印字が既になされている書込み済帳票用紙の、該入力項目を電子データとしてオペレータがデータ入力する際に、画面表示装置により、該書込み済帳票用紙の画像イメージを表示し、
前記入力項目のデータ入力された文字列を表示するための、該入力項目毎の入力フィールドや、該入力フィールド個々を示すアイコンを、画面表示装置により、画面上において互いに整列又は重畳表示し、
これら入力フィールドやアイコンのいずれかの選択、及び画面上の前記画像イメージ表示上における位置指定の操作入力を、操作入力装置により受け付け、
画面表示装置により、これら選択及び位置指定に応じて、該当入力フィールドを該当位置に表示するようにしたことを特徴とするデータ入力方法。
【請求項２】
入力項目の手書き又は印字が既になされている書込み済帳票用紙の、該入力項目を電子データとしてオペレータがデータ入力する際に、画面表示装置により、該書込み済帳票用紙の画像イメージを表示し、
前記入力項目のデータ入力された文字列を表示するための、該入力項目毎の入力フィールドを、画面表示装置により、画面上の前記画像イメージ表示上に表示し、
該データ入力の済んだ入力フィールドは、画面上において互いに整列又は重畳するように表示させることを特徴とするデータ入力方法。
【請求項３】
請求項１又は請求項２に記載のデータ入力方法において、
画面表示装置により、前記入力フィールドや前記アイコンの近傍に移動指示のためのボタンを表示し、
操作入力装置により、該移動指示ボタンの押下操作が受け付けられた場合には、該押下操作に応じて画面表示装置により、入力フィールドやアイコンを、画面上において互いに整列又は重畳するように表示させることを特徴とするデータ入力方法。
【請求項４】
請求項１又は請求項２に記載のデータ入力方法において、
画面表示装置により、前記入力フィールドや前記アイコンの近傍に移動指示のためのボタンを表示し、
操作入力装置により、該移動指示ボタンの押下操作が受け付けられた場合には、操作入力装置により別途指定を受け付ける、画面上における指定表示位置に、画面表示装置により、該入力フィールドを表示するようにしたことを特徴とするデータ入力方法。
【請求項５】
請求項２又は請求項３に記載のデータ入力方法において、
前記整列又は重畳されている入力フィールドのいずれかを選択する入力を、操作入力装置により受け付けた場合は、
該入力フィールドの、上記整列又は重畳を行う直前の表示位置へと、画面表示装置により、該入力フィールドを表示させるようにしたことを特徴とするデータ入力方法。
【請求項６】
操作入力装置において、オペレータによる情報のデータ入力を受け付けて、各レコードのデータを逐次入力し、
データ記憶装置において、該入力情報をレコード単位で保存し、
データ管理装置は、該入力情報を複数レコード分まとめて前記データ記憶装置から読み出し、サーバ装置へと送信することを特徴とするデータ入力方法。
【請求項７】
請求項６に記載のデータ入力方法において、
入力項目の手書き又は印字が既になされている書込み済帳票用紙の画像イメージを、データ管理装置において、前記サーバ装置から受信し、
画面表示装置により、該画像イメージを表示し、前記入力項目のデータ入力された文字列を表示するための入力フィールドを、該画像イメージ表示上に重畳表示するようにしたことを特徴とするデータ入力方法。
【請求項８】
請求項１又は請求項２に記載の、画面表示装置及び操作入力装置を備えるようにしたことを特徴とするデータ入力装置。
【請求項９】
請求項６に記載の、操作入力装置、データ記憶装置、及びデータ管理装置を備えるようにしたことを特徴とするデータ入力装置。
【発明の詳細な説明】
【技術分野】
【０００１】
本発明は、入力項目の手書き又は印字が既になされている書込み済帳票用紙の、該入力項目をオペレータがデータ入力していく際に、入力項目の手書き又は印字位置の少なくとも一部が不定であっても、能率よくオペレータが入力していくことができるデータ入力方法及び装置に関する。
【背景技術】
【０００２】
特許文献１では、データ項目の画面に表示される位置を、マウスのドラッグ操作及びドロップ操作を行って定義していく。これによって、ユーザ端末用のソフトウェアで、画面変更を容易に行えるようにしている。従って、必要最小限のデータ項目を最適な位置に表示できるように調整することが容易になる。不要なデータ項目が画面上に表示されると、データの誤入力、通信回線・コンピュータに対する負荷の観点からも、好ましくないとしている。
【０００３】
【特許文献１】特開２００３−３０３１５５号公報
【発明の開示】
【発明が解決しようとする課題】
【０００４】
ここで、入力項目を手書き又は印字する帳票類などは、記入項目の欄が印刷された、特定の定型様式になっているものである。例えば、アンケートなどは、通常、記入項目の欄が印刷されている、様式が定まった用紙を用いる。
【０００５】
しかしながら、業務上、このような定型様式を採用できない場合も多々存在する。例えば、ほぼ不特定多数から得る手書きアンケートは、記入項目の欄が印刷されたものであっても、該項目欄の様式が異なるものが混在する場合が多い。更には、アンケートで意見を提供する者の中には、印刷されたものではない、通常の例えば官製はがきにアンケート内容を、記入項目の欄もなく直接書き込むことも少なくない。
【０００６】
このような多様な様式が混在する帳票類のデータ入力の場合は、個々の入力項目の位置を帳票類上で速やかに見つけ出し、その記入の項目を見失わないように注視し続けながら入力しなければならない。従って、オペレータの負荷が非常に大きいことは、容易に理解される。
【０００７】
ここで、特定の定型様式であれば、前述の特許文献１の技術などを採用し、入力する帳票類の様式と、オペレータの入力時の表示画面の様式を一致させると、上記の注視は極めて容易になる。しかしながら、様々な様式が混在したり、全くの手書きの帳票類が混在したりするのであれば、該技術は適用できないことは明らかである。
【０００８】
本発明は、前記従来の問題点を解決するべくなされたもので、入力項目の手書き又は印字が既になされている書込み済帳票用紙の、該入力項目をオペレータがデータ入力していく際に、入力項目の手書き又は印字位置の少なくとも一部が不定であっても、能率よくオペレータが入力していくことができるデータ入力方法及び装置を提供することを目的とする。
【課題を解決するための手段】
【０００９】
まず、本願の第１発明のデータ入力方法は、入力項目の手書き又は印字が既になされている書込み済帳票用紙の、該入力項目を電子データとしてオペレータがデータ入力する際に、画面表示装置により、該書込み済帳票用紙の画像イメージを表示し、前記入力項目のデータ入力された文字列を表示するための、該入力項目毎の入力フィールドや、該入力フィールド個々を示すアイコンを、画面表示装置により、画面上において互いに整列又は重畳表示し、これら入力フィールドやアイコンのいずれかの選択、及び画面上の前記画像イメージ表示上における位置指定の操作入力を、操作入力装置により受け付け、画面表示装置により、これら選択及び位置指定に応じて、該当入力フィールドを該当位置に表示するようにしたことにより、前記課題を解決したものである。
【００１０】
次に、本願の第２発明のデータ入力方法は、入力項目の手書き又は印字が既になされている書込み済帳票用紙の、該入力項目を電子データとしてオペレータがデータ入力する際に、画面表示装置により、該書込み済帳票用紙の画像イメージを表示し、前記入力項目のデータ入力された文字列を表示するための、該入力項目毎の入力フィールドを、画面表示装置により、画面上の前記画像イメージ表示上に表示し、該データ入力の済んだ入力フィールドは、画面上において互いに整列又は重畳するように表示させるようにしたことにより、前記課題を解決したものである。
【００１１】
又、前記データ入力方法において、画面表示装置により、前記入力フィールドや前記アイコンの近傍に移動指示のためのボタンを表示し、操作入力装置により、該移動指示ボタンの押下操作が受け付けられた場合には、該押下操作に応じて画面表示装置により、入力フィールドやアイコンを、画面上において互いに整列又は重畳するようにしたことにより、データ入力中のオペレータの操作性を更に向上することができる。該移動指示ボタンは、後述する実施形態では「Ｔｉｄ」ボタンである。
【００１２】
更に、前記データ入力方法において、画面表示装置により、前記入力フィールドや前記アイコンの近傍に移動指示のためのボタンを表示し、操作入力装置により、該移動指示ボタンの押下操作が受け付けられた場合には、操作入力装置により別途指定を受け付ける、画面上における指定表示位置に、画面表示装置により、該入力フィールドを表示するようにしたことにより、データ入力中のオペレータの操作性を更に向上することができる。該移動指示ボタンは、後述する実施形態では「Ｍｏｖ」ボタンである。
【００１３】
又、前記データ入力方法において、前記整列又は重畳されている入力フィールドのいずれかを選択する入力を、操作入力装置により受け付けた場合は、該入力フィールドの、上記整列又は重畳を行う直前の表示位置へと、画面表示装置により、該入力フィールドを表示させるようにしたことにより、データ入力中のオペレータの操作性を更に向上することができる。
【００１４】
次に、本願の第３発明のデータ入力方法は、操作入力装置において、オペレータによる情報のデータ入力を受け付けて、各レコードのデータを逐次入力し、データ記憶装置において、該入力情報をレコード単位で保存し、データ管理装置は、該入力情報を複数レコード分まとめて前記データ記憶装置から読み出し、サーバ装置へと送信することにより、前記課題を解決したものである。
【００１５】
更に、前記データ入力方法において、入力項目の手書き又は印字が既になされている書込み済帳票用紙の画像イメージを、データ管理装置において、前記サーバ装置から受信し、画面表示装置により、該画像イメージを表示し、前記入力項目のデータ入力された文字列を表示するための入力フィールドを、該画像イメージ表示上に重畳表示するようにしたことにより、データ入力中のオペレータの操作性を更に向上することができる。
【００１６】
次に、本願の第４発明のデータ入力装置は、前記第１発明又は前記第２発明の画面表示装置及び操作入力装置を備えるようにしたことにより、前記課題を解決したものである。
【００１７】
続いて、本願の第５発明のデータ入力装置は、前記第３発明の操作入力装置、データ記憶装置、及びデータ管理装置を備えるようにしたことにより、前記課題を解決したものである。
【００１８】
以下、本発明の作用について、簡単に説明する。
【００１９】
本願発明は、入力項目の手書き又は印字が既になされている書込み済帳票用紙の、該入力項目を電子データとしてオペレータがデータ入力する際に、画面表示装置により、該書込み済帳票用紙の画像イメージを表示する。従って、入力者は、入力対象の入力項目を容易に目視することができる。
【００２０】
更に、操作入力装置により、これら入力フィールドやアイコンのいずれかの選択、及び画面上の前記画像イメージ表示上における位置指定を受け付ける。そして、画面表示装置により、これら選択及び位置指定に応じて、該当入力フィールドを表示する。
【００２１】
従って、入力者は、整列又は重畳表示されている入力フィールドを、現在入力している帳票類の様式に応じて、画面上の画像イメージ表示上において、該入力フィールドの手書き又は印字位置に移動させることができる。従って、入力者は、帳票類のデータ入力の場合に、個々の記入の入力項目の位置を帳票上で見い出すことも容易であり、更には、その位置をその入力中に見失わないようにすることも容易になる。このようなことから、オペレータの負荷が従来技術に比較して格段に軽減できることは明らかである。
【００２２】
なお、本願発明が対象にする帳票類や、その様式は限定されるものではない。発注書や納品票や旅費精算伝票のような、業務上の帳票や伝票類であってもよい。後述する実施形態のような、アンケートで意見を提供する者からの往復はがきであってもよい。又、その様式については、記入項目の欄が印刷されたものに限定されるものではなく、記入項目の欄を記入者が独自に作成したものや、記入項目の欄が印刷されていないものであってもよい。
【００２３】
又、本願発明におけるデータ入力は、英数字や漢字のデータ入力などに限定されるものではなく、又、オペレータが行うキー入力に限定されるものではない。例えば、該データ入力は、オペレータの肉声発声による音声入力であってもよい。更には、ＯＣＲ（Optical  Character  Reader）を用いるものであってもよい。
【発明の効果】
【００２４】
本発明のデータ入力方法及び装置によれば、入力項目の手書き又は印字が既になされている書込み済帳票用紙の、該入力項目をオペレータがデータ入力していく際に、入力項目の手書き又は印字位置の少なくとも一部が不定であっても、能率よくオペレータが入力していくことができるデータ入力方法及び装置を提供することができる。
【発明を実施するための最良の形態】
【００２５】
以下、図を用いて本発明の実施の形態を詳細に説明する。
【００２６】
図１は、本発明が適用された実施形態のデータ入力方法、及びデータ入力装置に関する諸装置の構成を示すブロック図である。
【００２７】
本実施形態においては、図示されるように、情報入力取扱サーバ装置１０に加えて、インターネット接続サーバ装置１７は、インターネット１にて接続されている。又、クライアント型入力装置５も、公衆電話回線２やインターネット接続サーバ装置１７や、ルータ装置１８やＬＡＮ３を経由するなどして、あるいは場合によっては直接、インターネット１に接続されている。ルータ装置１８は、ＬＡＮ３をインターネット１に接続する機能を提供している。
【００２８】
本実施形態では、図示するように、インターネット１などを介して、あるいは更にインターネット接続サーバ装置１７や公衆電話回線２を介して、更にはルータ装置１８を介して、クライアント型入力装置５が情報入力取扱サーバ装置１０に接続される。又、該接続によって、情報入力取扱サーバ装置１０がクライアント型入力装置５に対して、データ入力に関する諸情報を提供する。該諸情報には、データ入力の対象になる書込み済帳票用紙のイメージ情報や、該データ入力に関する諸設定情報が含まれる。オペレータは、クライアント型入力装置５において、この諸情報の画面表示を閲覧しながら、本願発明を適用してデータ入力を行う。又、入力された情報は、後述のセンド機能によって情報入力取扱サーバ装置１０に送信され、該情報入力取扱サーバ装置１０の入力データ・データベース装置２７に保存される。
【００２９】
あるいは、ＬＡＮ（Local  Area  Network）３を介して、クライアント型入力装置５がローカル・サーバ装置１１に接続する。そうして、該接続によって、ローカル・サーバ装置１１がクライアント型入力装置５に対して、データ入力に関する諸情報を提供する。該諸情報には、データ入力の対象になる書込み済帳票用紙のイメージ情報や、該データ入力に関する諸設定情報が含まれる。オペレータは、クライアント型入力装置５において、この諸情報の画面表示を閲覧しながら、本願発明を適用してデータ入力を行う。又、入力された情報は、後述のセンド機能によってローカル・サーバ装置１１に送信され、該ローカル・サーバ装置１１の入力データ・データベース装置２７に保存される。
【００３０】
あるいは、独立型入力装置４の場合は、独立型入力装置４のみで、データ入力に関する諸情報を取得する。オペレータは、この諸情報の画面表示を閲覧しながら、データ入力を行うことができる。
【００３１】
ここで、データ入力に関する上記の諸情報は、特に限定されるものではない。該書情報には、該データ入力の対象になる、入力項目の手書き又は印字が既になされている書込み済帳票用紙の、画像のイメージ情報が含まれる。このイメージ情報は、予めスキャナ装置４２などで、書込み済帳票用紙を２次元画像として読み取っておく。又、該諸情報は、その他特に限定されるものではない。該データ入力に関する諸設定情報であってもよい。
【００３２】
なお、本願発明は、これらクライアント型入力装置形式や独立型入力装置形式に限定されるものではない。又、クライアント型入力装置形式において、オンラインの形態についても限定されるものではない。例えば、該情報入力に際して利用する通信インフラについても、インターネット１に限定されるものではなく、他の形態の通信ネットワークであってもよい。あるいは、インターネット１や他の通信網を適宜複合的に利用するものでもよい。電話やデータ通信の公衆回線網や専用回線網、あるいは携帯電話などの回線網を用いてもよい。
【００３３】
図２は、情報入力取扱サーバ装置１０あるいはローカル・サーバ装置１１、及びクライアント型入力装置５の間の通信接続について、又それぞれにある設備構成を示すブロック図である。
【００３４】
図示されるように、情報入力取扱サーバ装置１０やローカル・サーバ装置１１は、ウェブ・サーバ２２やデータベース装置２４を内蔵し、これら装置又その他において動作するソフトウェア・プログラムによって、本発明に係る機能が実現している。クライアント型入力装置５は、ウェブ・ブラウザ６を有し、該ウェブ・ブラウザ６その他において動作するソフトウェアによって、本発明に係る機能が実現している。該ウェブ・ブラウザ６は、インターネット１を経由するなどして、ウェブ・サーバ２２に対して接続する。
【００３５】
なお、クライアント型入力装置５や独立型入力装置４は、ＯＳ（Operating  System）として米国マイクロソフト社のＷｉｎｄｏｗｓ（登録商標）を搭載するＰＣ（Personal  Computer）である。なお、クライアント型入力装置５については、ＰＤＡ（Personal  Digital  Assistants）や、場合によっては、データ通信機能やウェブ・ブラウザ機能を有する携帯電話であってもよい。
【００３６】
なお、本実施形態に係る諸情報は、データベース装置２４に格納されている。例えば、
イメージデータ・データベース装置２６には、入力項目の手書き又は印字が既になされている書込み済帳票用紙の画像イメージ情報が格納されている。入力データ・データベース装置２７には、クライアント型入力装置５においてオペレータが書込み済帳票用紙のイメージ画像を目視しながら入力した、該帳票用紙の入力データが格納されている。
【００３７】
図３は、本実施形態の独立型入力装置４やクライアント型入力装置５、又情報入力取扱サーバ装置１０やローカル・サーバ装置１１のハードウェア構成を示すブロック図である。
【００３８】
独立型入力装置４やクライアント型入力装置５、又場合によっては情報入力取扱サーバ装置１０やローカル・サーバ装置１１は、前述のように一般的なＰＣを用いることができ、例えば、この図３に示すようなハードウェア構成のものを用いることができる。なお、この図において、ハードウェア構成は、説明の関係上一部抽象化されている。
【００３９】
この図において、独立型入力装置４やクライアント型入力装置５や情報入力取扱サーバ装置１０やローカル・サーバ装置１１は、ＣＰＵ（Central  Processing  Unit）３１０と、ＲＡＭ（Random  Access  Memory）３１１と、ＲＯＭ（Read  Only  Memory）３１２と、ＬＡＮ−Ｉ／Ｆ（Inter  Face）３１３と、ＭＯＤＥＭ（modulator-demodulator）３１４と、種々のＩ／Ｆ（Inter  Face）３２０〜３２２とを有している。これらは、バス３０１によって相互接続されている。
【００４０】
又、バス３０１に対して、Ｉ／Ｆ３２０を介して、画面表示装置３３０が接続されている。又、バス３０３によって相互接続されている、キーボード３３１と、マウス３３２と、プリンタ装置３３３とは、バス３０１に対して、Ｉ／Ｆ３２１を介して接続されている。
【００４１】
更に、バス３０１に対して、Ｉ／Ｆ３２２を介して、ＨＤＤ（Hard  Disc  Drive）装置３４０と、ＣＤ（Compact  Disc）装置３４１と、ＦＤＤ（Floppy（登録商標）  Disc  Drive）装置３４２とが接続されている。これらはバス３０２によって相互接続されている。
【００４２】
以上のようなハードウェア構成において、ＯＳや、本実施形態に係るアプリケーション・プログラムは、ＨＤＤ装置３４０に格納されていて、実行時には、ＲＡＭ３１１に読み出されてＣＰＵ３１０によって実行される。ＬＡＮ−Ｉ／Ｆ３１３は、ＬＡＮ３に対する接続などに用いられる。なお、ＣＰＵ３１０で実行されるアプリケーション・プログラムには、インターネット１経由やＬＡＮ３経由で取得される、ＪＡＶＡ（登録商標）のアプレットも含まれる。
【００４３】
又、ＯＳやアプリケーション・プログラムの実行に際して、オペレータは、画面表示装置３３０に表示される情報を参照しつつ、キーボード３３１によって文字入力や諸操作を行ったり、マウス３３２によって座標入力や諸操作を行ったりする。なお、ＣＤ装置３４１やＦＤＤ装置３４２は、オフラインでの情報交換に用いられる。
【００４４】
図４は、本実施形態における情報入力取扱サーバ装置１０やローカル・サーバ装置１１の主要な構成を示すブロック図である。
【００４５】
図示されるように、情報入力取扱サーバ装置１０やローカル・サーバ装置１１は、イメージデータ・データベース装置２６や入力データ・データベース装置２７を有するデータベース装置２４、又、主としてウェブ・サーバ２２に構成されるデータ管理装置４０、更に、スキャナ装置４２を有している。なお、前述の独立型入力装置４の場合は、次に述べる図５の構成に加えて、この図４の構成も有している。
【００４６】
本実施形態において、情報入力取扱サーバ装置１０やローカル・サーバ装置１１は、データ入力の業務を管理しているセンタ側に設けられている。そして、センタ側において、スキャナ装置４２により、データ入力の対象になる書込み済帳票用紙をイメージ画像として読み取り、イメージデータ・データベース装置２６に格納しておく。そうして、各地に配置されているオペレータは、この書込み済帳票用紙のデータ入力の依頼を受けた場合は、そのオペレータのクライアント型入力装置５において、該格納のイメージ画像を読出し（後述のＩ＿ＬＯＡＤ）、又その他必要な情報を情報入力取扱サーバ装置１０やローカル・サーバ装置１１から受信し、このイメージ画像の画面表示を閲覧しながら、本願発明を適用してデータ入力を行う。又、データ入力された情報は、後述のセンド機能によって情報入力取扱サーバ装置１０やローカル・サーバ装置１１に送信され、入力データ・データベース装置２７に保存される。
【００４７】
図５は、本実施形態における独立型入力装置４やクライアント型入力装置５の構成を示すブロック図である。
【００４８】
図示されるように、クライアント型入力装置５は、データ管理装置５０と、イメージデータ記憶装置５３と、入力中データ記憶装置５４と、一時データ記憶装置５５と、制御データ記憶装置５６とを有している。又、イメージ表示制御装置６０と、表示画面制御装置６２と、入力フィールド位置制御装置６４と、フィールド入力装置６６と、全体管理制御装置７０とを有している。更には、画面表示装置７２と、操作入力装置７４とを有している。
【００４９】
なお、画面表示装置７２は、図３の画面表示装置３３０などのハードウェア、及び該画面表示装置３３０を機能させるソフトウェアなどによる。又、操作入力装置７４は、キーボード３３１やマウス３３２などのハードウェア、及びこれらキーボード３３１やマウス３３２を機能させるソフトウェアなどによる。
【００５０】
なお、前述の独立型入力装置４の場合は、この図５の構成に加えて、図４の構成も有している。
【００５１】
図６は、本実施形態における書込み済帳票の入力の全体的な処理の流れを示すフローチャートである。
【００５２】
本実施形態においては、このフローチャートに示される処理を、後述する図８〜図１１、図１３、図２８それぞれに示される、「操作パネル」、「イメージロードパネル」、「分割表示パネル（４分割）」、「分割表示パネル（６分割）」、「インプットパネル」、「データパネル」を用いながら、又適宜図２９に示されるような「リストパネル」を表示しながら行うことになる。これらパネルは、それぞれ左上のタグ部分を操作入力装置７４によってドラッグ操作し、希望する移動先にドロップ操作することで、画面上の任意の場所に移動することができる。
【００５３】
なお、図７は、画面表示装置７２の表示画面に表示される一画面において、これらパネルを全て表示した様子を示すものであり、又後述するフィールド連番が「１」〜「５」の入力フィールドも表示されている。これらパネルは、非選択時には半透明表示になる。又、操作入力装置７４を用いた操作対象になっているパネルは不透明表示になる。
【００５４】
なお、「イメージロードパネル」又「データパネル」に関する機能は、データ管理装置５０の動作によって提供される。「分割表示パネル（４分割）」や「分割表示パネル（６分割）」に関する機能は、表示画面制御装置６２の動作によって提供される。又、「操作パネル」に関する機能は、全体管理制御装置７０の動作によって提供される。「インプットパネル」に関する機能は、全体管理制御装置７０及びデータ管理装置５０の動作によって提供される。
【００５５】
後述するように、入力フィールドは、適宜アイコン化され、又入力フィールドやアイコンは整列や重畳される。又、入力フィールドやアイコンをオペレータがドラッグ操作して、所望の位置にドロップ操作すると、このドロップ位置に入力フィールドを配置して表示することができる。これら入力フィールドのアイコン化などの表示形態、又表示位置に関する機能は、入力フィールド位置制御装置６４の動作によって提供される。更に、入力フィールドによるオペレータからのデータ入力の機能は、フィールド入力装置６６や操作入力装置７４の動作によって提供される。
【００５６】
又、以上に述べたパネルや、入力フィールドや、アイコンは、本実施形態においては、データ入力対象の書込み済帳票用紙のイメージ情報の画像表示上に、適宜、重畳表示するようになっている。このようなイメージ情報の画像表示は、イメージ表示制御装置６０の動作によって提供される。
【００５７】
これらのパネルで提供される機能は、それぞれ上記の装置の動作に加えて、適宜、画面表示装置７２からオペレータに表示を行い、該オペレータからの入力を、操作入力装置７４を介して受け付けて提供されるものである。
【００５８】
図６において、まずステップ１０２では、初期設定を行う。該初期設定には、入力フィールド数の初期値や、各入力項目の項目名を設定し、これを保存するメタファイルの作成が含まれる。この初期設定やメタファイルは、情報入力取扱サーバ装置１０やローカル・サーバ装置１１側において行って登録しておき、この後にクライアント型入力装置５にダウンロードしてもよい。又、この初期設定やメタファイルは、制御データ記憶装置５６に保存されることになる。
【００５９】
上記のメタファイルは、本実施形態においては、下記のメタファイル例のようなデータ構造になっている。該メタファイル例において、Ｋ１〜Ｋ２５６は、該メタファイルを構成するデータの番号である。そして、Ｋ１のデータは、入力フィールド数の初期値である。該入力フィールド数の最大値は２５５である。Ｋ２〜Ｋ２５６のデータは、それぞれフィールド連番が１から２５５の入力フィールドの名称であり、入力項目の項目名である。又、このデータ番号の直後の「＝」に続く文字列は、そのデータの内容になる。「＆」は、該メタファイルにおけるデータ間のセパレータである。
【００６０】
メタファイルの例：「Ｋ１＝５＆Ｋ２＝住所＆Ｋ３＝氏名＆Ｋ４＝年齢＆Ｋ５＝職業＆Ｋ６＝電話番号」
【００６１】
上記のメタファイル例では、Ｋ１のデータによって、入力フィールド数の初期値が「５」であることが示される。そして、Ｋ２のデータによってフィールド連番が１の入力フィールドの名称が「住所」であることが示され、Ｋ３のデータによってフィールド連番が２の入力フィールドの名称が「氏名」であることが示され、Ｋ４のデータによってフィールド連番が３の入力フィールドの名称が「年齢」であることが示され、Ｋ５のデータによってフィールド連番が４の入力フィールドの名称が「職業」であることが示され、Ｋ６のデータによってフィールド連番が５の入力フィールドの名称が「電話番号」であることが示される。
【００６２】
又、このステップ１０２の段階では、入力項目の手書き又は印字が既になされている書込み済帳票用紙をスキャナ装置４２によって読み取り、該読み取りによって得られたイメージ情報を、イメージデータ・データベース装置２６に格納しておく。なお、本実施形態においては、このように格納され、又クライアント型入力装置５に送信されるイメージ画像は、ＪＰＥＧ（Joint  Photographic  Experts  Group）形式であり、画素数は最大１０２４×７６８になっている。
【００６３】
次にステップ１０４では、独立型入力装置４やクライアント型入力装置５において、本願発明を適用したデータ入力を行うためのアプリケーション・プログラムを、独立型入力装置４やクライアント型入力装置５において起動する。本実施形態において該プログラムはウェブ・ブラウザ６において動作するものであり、このステップ１０４においては該プログラムのためのブラウザの画面（ウィンドウ）を開くことになる。
【００６４】
続いてステップ１０６では、今回行う入力業務が、新規の入力であるか、あるいは過去に入力されたデータの確認や修正であるかを選択する。新規の入力を選択する場合は、「イメージロードパネル」による操作を行う。あるいは、過去に入力されたデータの確認や修正であるかを選択する場合は、「データパネル」による操作を行う。
【００６５】
図８の「操作パネル」は、「分割表示パネル」を表示させるための「ＡＲＥＡ」ボタン、「イメージロードパネル」を表示させるための「Ｉ＿ＬＯＡＤ」ボタン、「データパネル」を表示させるための「ＤＡＴＡ」ボタン、「インプットパネル」を表示させるための「ＩＮＰＵＴ」ボタンを有している。又、所望のパネルを表示させる場合は、該当のボタンを押下する。なお、これらボタン、又以下に述べるボタンは、操作入力装置７４によって押下操作する。
【００６６】
新規の入力を選択する場合は、上述の「操作パネル」を操作するなどして表示されている、図９に示される「イメージロードパネル」による操作を行う。符合２０１の入力フィールドには、操作入力装置７４を用いながらイメージ情報の名称（ファイル名）をキー入力する。そして、符号２０２の「往復はがき」サイズ又は符号２０３の「Ａ４」サイズのいずれかを押下し、選択することで、読み込むイメージ情報の画像サイズを指定する。これらキー入力及び指定の後に、符号２０４の「Ｉ＿ＬＯＡＤ」ボタンを押下すると、該当のイメージ情報を、データ入力の対象として読み出すことができる。該読出しは、イメージデータ・データベース装置２６からイメージデータ記憶装置５３に、該当のイメージ情報を読み出すことによって行われる。なお、符号２０５の「ＣＬＯＳＥ」ボタンは、当該「イメージロードパネル」を閉じるためのものであり、「分割表示パネル」など、他のパネルの「ＣＬＯＳＥ」ボタンについても同様である。
【００６７】
なお、過去に入力されたデータの確認や修正をする場合、上述の「操作パネル」を操作するなどして表示されている、図２８に示される「データパネル」による操作を行う。該操作によって、確認や修正対象とするデータ入力の、イメージ情報や入力されているレコードを、「データパネル」によって選択して読み出す。詳しくは、「データパネル」による操作として後述する。
【００６８】
次には、ステップ１０８では、「分割表示パネル」によって、分割数を設定したり、分割されたいずれかのエリアを選択したりする。又、「インプットパネル」によって、入力フィールドの数を設定したりする。
【００６９】
なお、これら「分割表示パネル」や「インプットパネル」の操作は、個々のイメージ情報のデータ入力中にも行って、設定を変更することができる。
【００７０】
図１０は４分割が選択されている状態の、図１１は６分割が選択されている状態の、それぞれ「分割表示パネル」を示す。
【００７１】
図１０のパネルにおいて符号２１０の「６」ボタンを押下すると、６分割が選択されて図１１のパネルになる。なお、符号２１１の「４」ボタンを押下した場合は、４分割の図１０のパネルのままである。
【００７２】
あるいは、図１１のパネルにおいて符号２１１の「４」ボタンを押下すると、４分割が選択されて図１０のパネルになる。なお、符号２１０の「６」ボタンを押下した場合は、６分割の図１１のパネルのままである。
【００７３】
又、図１０の符号２１２は、エリアを指定するボタンが「１」〜「４」となっており、これらは、４分割の４つの各エリアの配置位置に位置が対応して設けられている。図１１の符号２１３は、エリアを指定するボタンが「１」〜「６」となっており、これらは、６分割の６つの各エリアの配置位置に位置が対応して設けられている。いずれかのボタンを押下すると、対応するエリアのイメージ情報が表示され、データ入力の対象にすることができる。又、符号２１４の「標準」のボタンを押下すると、対象のイメージ情報の全体が表示され、データ入力の対象にすることができる。
【００７４】
例えば、図１２のような往復はがきのイメージ情報の場合、４分割であれば、図中それぞれ破線で示される、４つのエリアとなる。そして、「４」のボタンを押下すれば、図１７のような表示になる。「１」のボタンを押下すれば、図１２の左上の破線領域の表示になる。「２」のボタンを押下すれば図１２の右上、「３」のボタンを押下すれば図１２の左下の破線領域の表示になる。又、符号２１４の「標準」のボタンを押下すると、図１２のイメージ情報、全体が表示され、データ入力の対象にすることができる。
【００７５】
なお、本実施形態においては、図１２のようなイメージ情報単位で、データ入力を行っていく。図１２の場合は、一例として、販売書籍に差し込まれて配布されているアンケート用の往復はがきであり、書店などで書籍を購入した者がアンケート内容を手書き又は印字記入して郵送するものである。このような場合など、イメージ情報単位でデータ入力を行うのは好適である。なお、以下、このようなイメージ情報単位のデータ入力、又該データ入力されたデータによって該イメージ情報単位で編成されるレコードを、レコード入力単位と呼ぶ。又、該レコード中の個々のデータ、又、個々の入力フィールドによる入力を、フィールド入力単位と呼ぶ。
【００７６】
図１３の「インプットパネル」において、「ＣＬＥＡＲ」を押下すると、全ての入力フィールドの入力内容がクリア（消去）される。「ＡＬＥＧＮＭＥＮＴ」を押下すると、全ての入力フィールドがアイコン化され、左上方に整列される。例えば図２５や図２６のように整列される。「ＤＥＦＡＵＬＴ」の左側に表示される「１２」は、前述のステップ１０２で設定した入力フィールド数の初期値である。「ＢＯＸ  ＣＯＵＮＴ」の右側に表示される数字は、現在の入力フィールド数である。
【００７７】
現在の入力フィールド数は、「△」ボタンの押下で増加したり、「▽」ボタンの押下で減少したりすることができる。例えば、図２４や図２５のように１２個としたり、図２６や図２７のように８個としたりすることができる。
【００７８】
次に、ステップ１１０では、入力フィールド単位でデータ入力を行っていく。この際、データ入力の対象になる入力フィールドの選択を行ったりするだけでなく、個々の入力フィールドの表示位置を移動させたり、整列させたり、重畳させたりすることができる。
【００７９】
図１４及び図１５は、それぞれ、個々の入力フィールドを示すアイコンの例を示す線図である。図１６は、個々の入力フィールドを示す線図である。
【００８０】
これらの図において、「１」は、その入力フィールドの連番である。以下、フィールド連番と呼ぶ。又、図１５や図１６の「住所」は、その入力フィールドの名称である。更に、図１６において、該名称の右側の矩形領域が、データ入力された文字を随時表示するための、実際の入力フィールドである。又、図１６のように、「Ｔｉｄ」ボタン、「Ｍｏｖ」ボタンが設けられている。通称、「Ｔｉｄ」ボタンは「片づくボタン」、「Ｍｏｖ」ボタンは「ワープボタン」と称している。
【００８１】
個々の入力フィールドのアイコンは、例えば図１７のように画面情報に整列されて配置されている。図１７ではフィールド連番が「１」〜「５」のアイコンである。データ入力する入力フィールドのアイコンをドラッグ操作して、所望の位置にドロップ操作すると、このドロップ位置に入力フィールドが配置されて表示される。このような入力フィードの配置位置の移動のオペレータによる操作は、操作入力装置７４によって受け付けられ、又、入力フィールド位置制御装置６４によって該移動の機能が実現されている。該移動は、オペレータによる入力フィールドへのデータ入力中、随時行うことができる。オペレータは、イメージ画像の画面表示上において、データ入力対象の画像部分の近傍に移動して、該画像部分及び入力フィールドを共に目視し易くしてデータ入力し易くしたり、データ入力対象の画像部分に入力フィールドが重ならないように移動したりすることができる。
【００８２】
例えばフィールド連番が「１」のアイコンをドラッグ操作して、イメージ情報表示の「ご住所」の下方の「ＴＥＬ」の位置にドロップ操作した場合は、図１８のようになる。この場合は、イメージ情報表示の「ご住所」を目視しながら、そのすぐ下方にある、フィールド連番が「１」の「住所」の入力フィールドも容易に目視することができる。
【００８３】
なお、フィールド連番が「１」〜「５」の入力フィールドを順次入力していくと、例えば図１９のようになる。なお、図１９の場合のように、入力フィールドが表示されているアイコンを非表示とするようにも、図１８のようにそのまま表示するようにも、いずれの動作にも本実施形態は定義しておくことができるようになっている。
【００８４】
上記のような整列に対して、本実施形態においては、入力フィールドのアイコンは、図２０〜図２３のように重畳することもできる。図２０では、フィールド連番が「１」〜「５」のアイコンが重畳されていて、一番上層のフィールド連番が「１」のアイコンが表示され、フィールド連番が「２」〜「５」のアイコンがその下層に隠されている。図２１では、フィールド連番が「１」のアイコンをドラッグ操作しイメージ情報表示の「ご住所」の下方の「ＴＥＬ」の位置にドロップ操作した場合であり、フィールド連番が「１」の「住所」の入力フィールドが表示され、又フィールド連番が「１」のアイコンが除かれた故にフィールド連番が「２」のアイコンが表示されている。図２２では、フィールド連番が「２」のアイコンをドラッグ操作しイメージ情報表示の「お名前」の下方の「男性・女性」の位置にドロップ操作した場合であり、フィールド連番が「１」及び「２」の入力フィールドが表示され、又フィールド連番が「１」及び「２」のアイコンが除かれた故にフィールド連番が「３」のアイコンが表示されている。
【００８５】
なお、図２２や図２３のようにフィールド連番が「２」の入力フィールドを入力中、入力が完了したフィールド連番が「１」の入力フィールドは、図２３のように再びアイコン化するようにしてもよい。
【００８６】
ここで、図２４は、フィールド連番が「１」〜「１２」の合計１２個の入力フィールドがある、往復はがきのイメージ情報に対してデータ入力している場合であり、すべての入力フィールドがイメージ情報の表示上に表示されている。図２５では、これら「１」〜「１２」のフィールド連番の入力フィールドが、全てアイコン化されて、画面上方に整列されている。
【００８７】
そして、図２６では、その右中央に、「インプットパネル」が表示されて、又フィールド連番が「１」〜「８」の合計８個の入力フィールドのアイコンが表示されている。図２７は、これらアイコンが、全て入力フィールドとして表示された状態である。
【００８８】
又、以上のような操作を行いながら、このステップ１１０において、１つのイメージ情報のデータ入力が終了し、これによって、１つのレコード入力単位のデータ入力が終わると、次には、ステップ１１２において、該レコード入力単位のデータ入力を行ったレコードを保存する。
【００８９】
ここで、オペレータによる前述の「Ｔｉｄ」ボタンの押下操作が、操作入力装置７４において受け付けられた場合には、入力フィールド位置制御装置６４は、表示画面で該「Ｔｉｄ」ボタンが付されている、その入力フィールドやアイコンの画面表示位置を移動させる。これによって、該押下操作に応じて画面表示装置７２により、入力フィールドやアイコンを、画面上において互いに整列又は重畳するようになっている。
【００９０】
又、オペレータによる前述の「Ｍｏｖ」ボタンの押下操作が、操作入力装置７４において受け付けられた場合には、入力フィールド位置制御装置６４は、更にオペレータによる座標入力を操作入力装置７４により受け付けて、これを画面上における指定表示位置として受け付ける。又該入力フィールド位置制御装置６４は、表示画面で該「Ｍｏｖ」ボタンが付されている、その入力フィールドやアイコンの画面表示位置を該指定表示位置に移動させ、該押下操作に応じて画面表示装置７２により、入力フィールドやアイコンを、該指定表示位置に表示するようになっている。
【００９１】
図２８は、本実施形態のデータパネルを示す線図である。
【００９２】
クライアント型入力装置５においては、レコード入力単位でデータ入力を行っている最中のレコードは、クライアント型入力装置５側の入力中データ記憶装置５４に保存され、該入力中に該レコードの入力されたデータが逐次保存される。又、「クイックセーブ（Ｑ＿ＳＡＶＥ）」と称し、このようにレコード入力単位でデータ入力を行ったレコードを、レコード入力単位で、クライアント型入力装置５側の一時データ記憶装置５５に保存する。そうして、「センド（ＳＥＮＤ）」と称して、このように一時データ記憶装置５５に保存されているレコードを、１レコード入力単位分、あるいは複数のレコード入力単位分をまとめて、情報入力取扱サーバ装置１０やローカル・サーバ装置１１に送信し、その入力データ・データベース装置２７に保存するようにしている。
【００９３】
ここで、「データパネル」は、このようなクイックセーブやセンドの操作を行うことができる。
【００９４】
図２８の該データパネルにおいて、「ＮＵＭＢＥＲ」の左側に表示される「９」は、上述のように一時データ記憶装置５５にクイックセーブで保存されている、レコード入力単位の単位数であり、レコード数である。図示されるこの「９」の場合は、９つのイメージ情報のデータ入力のレコードが保存され、９つのレコード入力単位のデータ入力のレコードが保存されていることになる。なお、このように一時データ記憶装置５５に保存されているレコードは、レコード毎の連番（レコード連番）で識別される。
【００９５】
図示される符号２４０の「Ｑ＿ＳＡＶＥ」ボタンを押下すると、符号２５０の入力フィールドに入力されるレコード連番の名称で、入力中データ記憶装置５４にある入力中のレコードが一時データ記憶装置５５にクイックセーブされる。ここで、符号２５０の入力フィールドのレコード連番の名称は、特に入力されない場合で、今回のデータ入力がそのイメージ情報の新規入力である場合は、レコード連番が「１」から順に、未発行のものが自動的に割り当てられる。
【００９６】
図示される符号２４１の「Ｑ＿ＬＯＡＤ」ボタンを押下すると、符号２５０の入力フィールドに入力されるレコード連番の名称で一時データ記憶装置５５にクイックセーブされているレコードを、入力中データ記憶装置５４に読み出すことができる。該読出しによって、そのレコードのデータ内容を確認したり、前述のステップ１１０のようにして修正したりすることができる。
【００９７】
図示される符号２４２の「Ｑ＿ＣＬＥＡＲ」ボタンを押下すると、一時データ記憶装置５５にクイックセーブされているレコードが全て消去され、前述のレコード連番は「１」から再び発行されることになる。
【００９８】
符号２５０の入力フィールドに読み出そうとするレコードの名称（ファイル名）を入力し、符号２４４の「Ｄ＿ＬＯＡＤ」ボタンを押下すると、情報入力取扱サーバ装置１０やローカル・サーバ装置１１の入力データ・データベース装置２７に保存されている、既に入力されているレコードを、インターネット１やＬＡＮ３経由でクライアント型入力装置５側の入力中データ記憶装置５４に読み出すことができる。
【００９９】
ここで、上記の「Ｑ＿ＬＯＡＤ」ボタンや「Ｄ＿ＬＯＡＤ」ボタンの機能は、前述したステップ１０６において、過去に入力されたデータの確認や修正を開始する場合に用いることができる。
【０１００】
符号２５７の「ＳＥＮＤ」ボタンを押下すると、センドの機能が実施され、入力中データ記憶装置５４に保存されている１つ又は複数のレコードを一括して、情報入力取扱サーバ装置１０やローカル・サーバ装置１１に送信（ＳＥＮＤ）して、その入力データ・データベース装置２７に保存することができる。又、このセンドの後には、一時データ記憶装置５５にクイックセーブされているレコードが全て消去され、前述のレコード連番は「１」から再び発行されることになる。
【０１０１】
符号２５５の「ＬＩＳＴ」ボタンを押下すると、一時データ記憶装置５５にクイックセーブされているレコードのリストを図２９のように表示することができる。
【０１０２】
図２９は、本実施形態におけるリストパネルの一例を示す線図である。
【０１０３】
この図において、左端の「ＮＯ」の列は、前述のレコード連番である。「ＣＡ０１」の列は、イメージ情報の名称になっている。そして、各フィールド連番のデータが、「ＣＡ０２」〜「ＣＡ０４」……として順に格納されている。
【０１０４】
図６のフローチャートの説明を続けると、次にステップ１１４では、上述の「ＬＩＳＴ」ボタンの押下によって、一時データ記憶装置５５にクイックセーブされているレコードのリストを表示する。オペレータは、該リストを閲覧するなどして、クイックセーブされているレコードに修正がないか、未入力のレコードがないか確認する。修正があったり、未入力があったりした場合は、ステップ１１６においてステップ１１０の前方に分岐する。修正も未入力もない場合はステップ１１８に進み、オペレータは、前述の「ＳＥＮＤ」ボタンを押下すると、データ管理装置５０によってセンド機能が実施されることになる。
【０１０５】
このセンドの後には、ステップ１２０においてオペレータは、入力業務を続行するか判断する。続行する場合はステップ１０４に分岐し、業務終了する場合はこの図６のフローチャートの処理を完了する。
【０１０６】
なお、下記は、本実施形態におけるセンドによって送信されるデータを示す。該データは、図２９のリストパネルに表示されている２つのレコードに対応している。
【０１０７】
送信データの例：「Ｋ０１０＝Ｈ００１＆Ｋ０１１＝東京都杉並区……＆Ｋ０１２＝阿佐  太郎＆Ｋ０１３＝３０＆Ｋ０１４＝会社員＆Ｋ０１５＝０３−１２３４−５６７８＆Ｋ０２０＝Ｈ００１＆Ｋ０２１＝北海道札幌市中央区……＆Ｋ０２２＝北海  次郎＆Ｋ０２３＝５２＆Ｋ０２４＝自由業＆Ｋ０２５＝０３−９９９９−８８８８＆」
【０１０８】
なお、このような送信データにおいて、例えば「Ｋ０１２＝鈴木花子＆」は１つのフィールド入力単位のデータの送信データである。該送信データにおいて、先頭の「Ｋ０」は項目識別コードであり、続く「１」はレコード連番（１〜ｎ）であり、次の「２」はフィールド連番（１〜ｎ）である。又、「＝」及び「＆」の間の文字列が、個々の入力フィードで入力したデータの内容である。「＆」は、フィールド入力単位の送信データ間のセパレータである。
【０１０９】
以上に説明したとおり、本実施形態においては、本願発明を効果的に適用することができる。
【産業上の利用可能性】
【０１１０】
以上説明したとおり、本発明によれば、入力項目の手書き又は印字が既になされている書込み済帳票用紙の、該入力項目をオペレータがデータ入力していく際に、入力項目の手書き又は印字位置の少なくとも一部が不定であっても、能率よくオペレータが入力していくことができる。
【図面の簡単な説明】
【０１１１】
【図１】本発明が適用された実施形態のデータ入力方法及び装置に関する諸装置の構成を示すブロック図
【図２】上記実施形態における、サーバ装置側、及びクライアント型入力装置側の間の接続について、又それぞれにある設備構成を示すブロック図
【図３】前記実施形態の独立型入力装置やクライアント型入力装置のハードウェア構成を示すブロック図
【図４】前記実施形態において本願発明が適用された情報入力取扱サーバ装置やローカル・サーバ装置の構成を示すブロック図
【図５】前記実施形態においてクライアント型入力装置や独立型入力装置の構成を示すブロック図
【図６】前記実施形態における全体的な処理の流れを示すフローチャート
【図７】前記実施形態における諸パネルが表示されている表示画面を示す線図
【図８】前記実施形態における操作パネルを示す線図
【図９】前記実施形態におけるイメージロードパネルを示す線図
【図１０】前記実施形態における分割表示パネル（４分割）を示す線図
【図１１】前記実施形態における分割表示パネル（６分割）を示す線図
【図１２】前記実施形態が対象にする往復はがきのイメージ情報の一例を示す線図
【図１３】前記実施形態におけるインプットパネルを示す線図
【図１４】前記実施形態における個々の入力フィールドを示すアイコンの例を示す線図
【図１５】前記実施形態における個々の入力フィールドを示す入力フィールド名称付きのアイコンの例を示す線図
【図１６】前記実施形態における個々の入力フィールドの例を示す線図
【図１７】前記実施形態においてフィールド連番が「１」〜「５」のアイコンが整列されている表示画面を示す線図
【図１８】前記実施形態において上記アイコンに加えてフィールド連番が「１」の入力フィールドを含む表示画面を示す線図
【図１９】前記実施形態においてフィールド連番が「１」〜「５」の入力フィールドが配置されている表示画面を示す線図
【図２０】前記実施形態においてフィールド連番が「２」〜「５」のアイコンの上に「１」のアイコンが重畳され表示されている表示画面を示す線図
【図２１】前記実施形態においてフィールド連番が「１」の入力フィールドが配置され「２」〜「５」のアイコンが重畳されている表示画面を示す線図
【図２２】前記実施形態においてフィールド連番が「１」及び「２」の入力フィールドが配置され「３」〜「５」のアイコンが重畳されている表示画面を示す線図
【図２３】前記実施形態においてフィールド連番が「２」の入力フィールドが配置され「３」〜「５」のアイコンが重畳されて入力が済んだ「１」のアイコンが表示されている表示画面を示す線図
【図２４】前記実施形態において入力フィールドが１２個の表示画面例を示す線図
【図２５】前記実施形態において１２個の入力フィールドのアイコンが整列されている表示画面を示す線図
【図２６】前記実施形態において８個の入力フィールドのアイコンが整列されている表示画面を示す線図
【図２７】前記実施形態において入力フィールドが８個の表示画面例を示す線図
【図２８】前記実施形態におけるデータパネルを示す線図
【図２９】前記実施形態におけるリストパネルを示す線図
【符号の説明】
【０１１２】
１…インターネット
２…公衆電話回線
３…ＬＡＮ
４…独立型入力装置
５…クライアント型入力装置
６…ウェブ・ブラウザ
１０…情報入力取扱サーバ装置
１１…ローカル・サーバ装置
１７…インターネット接続サーバ装置
１８…ルータ装置
２２…ウェブ・サーバ
２４…データベース装置
２６…イメージデータ・データベース装置
２７…入力データ・データベース装置
４０…データ管理装置
４２…スキャナ装置
５０…データ管理装置
５３…イメージデータ記憶装置
５４…入力中データ記憶装置
５５…一時データ記憶装置
５６…制御データ記憶装置
６０…イメージ表示制御装置
６２…表示画面制御装置
６４…入力フィールド位置制御装置
６６…フィールド入力装置
７０…全体管理制御装置
７２…画面表示装置
７４…操作入力装置
３０１〜３０３…バス
３１０…ＣＰＵ
３１１…ＲＡＭ
３１２…ＲＯＭ
３１３…ＬＡＮ−Ｉ／Ｆ
３１４…ＭＯＤＥＭ
３２０〜３２２…Ｉ／Ｆ
３３０…画面表示装置
３３１…キーボード
３３２…マウス
３３３…プリンタ装置
３４０…ＨＤＤ装置
３４１…ＣＤ装置
３４２…ＦＤＤ装置
【図１】
2006113928.tif 000003
【図２】
2006113928.tif 000004
【図３】
2006113928.tif 000005
【図４】
2006113928.tif 000006
【図５】
2006113928.tif 000007
【図６】
2006113928.tif 000008
【図７】
2006113928.tif 000009
【図８】
2006113928.tif 000010
【図９】
2006113928.tif 000011
【図１０】
2006113928.tif 000012
【図１１】
2006113928.tif 000013
【図１２】
2006113928.tif 000014
【図１３】
2006113928.tif 000015
【図１４】
2006113928.tif 000016
【図１５】
2006113928.tif 000017
【図１６】
2006113928.tif 000018
【図１７】
2006113928.tif 000019
【図１８】
2006113928.tif 000020
【図１９】
2006113928.tif 000021
【図２０】
2006113928.tif 000022
【図２１】
2006113928.tif 000023
【図２２】
2006113928.tif 000024
【図２３】
2006113928.tif 000025
【図２４】
2006113928.tif 000026
【図２５】
2006113928.tif 000027
【図２６】
2006113928.tif 000028
【図２７】
2006113928.tif 000029
【図２８】
2006113928.tif 000030
【図２９】
2006113928.tif 000031